(57)【要約】【課題】本発明はナビゲーション装置に関するもので、使い勝手を良くすることを目的とするものである。【解決手段】そして、この目的を達成するために本発明は、本体ケースと、この本体ケースに設けた表示部と、この表示部に接続した制御部と、この制御部に接続した位置検出部、および地図記憶部とを備え、前記本体ケースに、カメラを設けるとともに、このカメラと画像合成部とを前記制御部に接続し、前記画像合成部により、前記カメラで撮影した画像中に、前記位置検出部で検出した位置情報と、カメラの撮影方向マークとを合成する構成とした。【選択図】図４
2011209168.tif 000002
【特許請求の範囲】
【請求項１】
本体ケースと、この本体ケースに設けた表示部と、この表示部に接続した制御部と、この制御部に接続した位置検出部、および地図記憶部とを備え、前記本体ケースに、カメラを設けるとともに、このカメラと画像合成部とを前記制御部に接続し、前記画像合成部により、前記カメラで撮影した画像中に、前記位置検出部で検出した位置情報と、カメラの撮影方向マークとを合成する構成としたことを特徴とするナビゲーション装置。
【請求項２】
画像合成部において、カメラで撮影した画像中における、前記位置検出部で検出した位置情報と、カメラの撮影方向マークを合成する場所を、変更する変更手段を設けた請求項１に記載のナビゲーション装置。
【請求項３】
カメラの撮影方向マークとして、進行方向表示を用いる請求項１、または２に記載のナビゲーション装置。
【発明の詳細な説明】
【技術分野】
【０００１】
本発明は、カメラ付のナビゲーション装置に関するものである。
【背景技術】
【０００２】
カメラで撮影した画像と、撮影位置検出器で取得した地図情報とを並べてアルバムを、作成するものがある（例えば特許文献１）。
【先行技術文献】
【特許文献】
【０００３】
【特許文献１】特開２００６−１８５０５８号公報
【発明の概要】
【発明が解決しようとする課題】
【０００４】
上記従来例のものでは、カメラで撮影した画像と、撮影位置検出器で取得した地図情報とが並んでいるので、どこの場所で撮影したのかが一目瞭然となり、便利なものとなる。
【０００５】
しかしながら、従来のものでは、撮影場所はわかるが、その場所からどちらの方向を向いて撮影したのかが理解できず、以降の撮影画像との比較や再現が難しく、使い勝手の悪いものであった。
そこで、本発明は、使い勝手を良くすることを目的とするものである。
【課題を解決するための手段】
【０００６】
そして、この目的を達成するために本発明は、本体ケースと、この本体ケースに設けた表示部と、この表示部に接続した制御部と、この制御部に接続した位置検出部、および地図記憶部とを備え、前記本体ケースに、カメラを設けるとともに、このカメラと画像合成部とを前記制御部に接続し、前記画像合成部により、前記カメラで撮影した画像中に、前記位置検出部で検出した位置情報と、カメラの撮影方向マークとを合成する構成とし、これにより所期の目的を達成するものである。
【発明の効果】
【０００７】
以上のように本発明は、本体ケースと、この本体ケースに設けた表示部と、この表示部に接続した制御部と、この制御部に接続した位置検出部、および地図記憶部とを備え、前記本体ケースに、カメラを設けるとともに、このカメラと画像合成部とを前記制御部に接続し、前記画像合成部により、前記カメラで撮影した画像中に、前記位置検出部で検出した位置情報と、カメラの撮影方向マークとを合成する構成としたものであるので、使い勝手を良くすることができる。
【０００８】
すなわち、本発明においては、前記カメラで撮影した画像中に、前記位置検出部で検出した位置情報と、カメラの撮影方向マークとを合成する構成としたものであるので、その画像が、どこの場所で、どちらを向いて撮影されたのかが一目瞭然となり、使い勝手の良いものとなるのである。
【図面の簡単な説明】
【０００９】
【図１】本発明の一実施形態に関するナビゲーション装置の利用形態を示す図
【図２】本発明の一実施形態に関するナビゲーション装置の利用形態を示す図
【図３】本発明の一実施形態に関するナビゲーション装置の利用形態を示す図
【図４】本発明の一実施形態に関するナビゲーション装置の制御ブロック図
【図５】本発明の一実施形態に関するナビゲーション装置の制御フローチャート
【発明を実施するための形態】
【００１０】
（実施の形態１）
【００１１】
図１は本発明の一実施形態に関するナビゲーション装置１の利用形態を示し、このナビゲーション装置１は通常、自動車２の車内前方に装着され、目的地までのルート案内をしている。
【００１２】
この図１の状態は、ナビゲーション装置１を自動車２外に持ち出し、たとえば富士山３を撮影しようとしている。つまり、本実施形態のナビゲーション装置１には、カメラ（図４の４）が設けられている。
【００１３】
また、このカメラ４のレンズ（図示せず）は、ナビゲーション装置１を構成する本体ケース５の背面（自動車２の前方側）に設けられているので、車内側に設けた表示部６に表示する自動車２の進行方向を示す進行方向表示７が、そのままカメラ４の撮影方向マークとなる。
【００１４】
この実施形態で特徴的なのは、図２に示すごとく、表示部６の画像中に富士山３だけでなく、その撮影場所を示す位置情報である地図８と、カメラ４の撮影方向マークとなる自動車２の進行方向表示７とが合成表示されていることである。
【００１５】
また、地図８と、進行方向表示７は、図３に示すごとく表示部６の左下（図３のａ）、右下（図３のｂ）、右上（図３のｃ）、左上（図３のｄ）へと、カーソルスイッチ９により適宜変更することができる。
また、表示部６の上辺部、または下辺部には、撮影日時、場所、撮影メモが、撮影情報１０として表示されている。
【００１６】
以上のような写真撮影、および画像合成を行わせるために、本実施形態のナビゲーション装置１は、図４に示す構成としている。
すなわち、前記本体ケース５の前面側（車内側）に設けた表示部６は、表示制御部１１を介して制御部１２接続されている。
また、制御部１２には良く知られているように、ＧＰＳ受信部１３と位置計算部１４からなる位置検出部１５、および地図記憶部１６が接続されている。
さらに、地図記憶部１６から読み出された現在位置の地図情報は、メモリ１７に一時的に取り込まれるようになっている。
さらにまた、前記カメラ４は画像入力部１８を介して制御部１２に接続されており、カメラ４で撮影した画像もメモリ１７に取り込まれる。
【００１７】
また、このメモリ１７に取り込まれた地図情報と、カメラ４で撮影され、メモリ１７に記録された画像は、画像合成部１９によって、図２、または図３のごとく合成され、この合成情報は表示部６に表出されるが、記録制御部２０を介して記録媒体２１に記録することもできる。
【００１８】
なお、図４における入力装置２２は、前記カーソルスイッチ９や、写真撮影のためのシャッターボタン（図２の２３）や決定スイッチ（図２の２４）や、その他のスイッチ（図示せず）や、目的地設定のためのスイッチ（図示せず）などをまとめて表現したものである。
【００１９】
本実施形態における、ナビゲーション装置１は、ＧＰＳ受信部１３と位置計算部１４か
らなる位置検出部１５、および地図記憶部１６を備えているので、通常の目的地検索、ルート表示が行えるようになっており、図１のごとく自宅から富士山３の撮影ポイントまでルート案内がされる。
目的地到着後、図１のごとく、ナビゲーション装置１を自動車２外に持ち出し、図２に示す構図で、シャッターボタン２３を押す（図５のＳ１）。
すると、カメラ４で撮影した画像は、画像入力部１８を介してメモリ１７に取り込まれる（Ｓ２）。
メモリ１７に取り込まれたカメラ４で撮影した画像は、表示制御部１１を介して表示部６に表示される（Ｓ３）。
また、ＧＰＳ受信部１３と位置計算部１４からなる位置検出部１５により、撮影地点が検出される（Ｓ４）。
さらに、地図記憶部１６から撮影地点近傍の地図情報が読み出され、これがメモリ１７に取り込まれる（Ｓ５）。
【００２０】
画像合成部１９では、メモリ１７に取り込まれたカメラ４で撮影した画像と、撮影地点近傍の地図情報と、撮影情報１０を合成し、図２のごとく表示部５に表示させる。
【００２１】
次に、図３のごとく、表示部６における地図８と、進行方向表示７を、カーソルスイッチ９により左下（図３のａ）、右下（図３のｂ）、右上（図３のｃ）、左上（図３のｄ）へと、適宜変更する（Ｓ７）。
【００２２】
次に、表示部６の右側に設けた決定スイッチ（図２の２４）を押して、図３の（ａ）〜（ｄ）のいずれかを選択、決定（Ｓ８）し、この決定画像が記録制御部２０を介して記録媒体２１に記録される（Ｓ９）。
【００２３】
このようにして記録媒体２１に記録された画像には、例えば図２に示すように、富士山３だけでなく、その撮影場所を示す位置情報である地図８と、カメラ４の撮影方向マークとなる自動車２の進行方向表示７と、撮影情報１０が合成表示されたものとなる。
【００２４】
特に、その撮影場所を示す位置情報である地図８と、カメラ４の撮影方向マークとなる自動車２の進行方向表示７が同時に記録されているので、どの場所で、どの方向に向かって撮影したのかが一目瞭然となり、以降の撮影画像との比較や再現が簡単に行え、極めて使い勝手の良いものとなる。
【産業上の利用可能性】
【００２５】
以上のように本発明は、本体ケースと、この本体ケースに設けた表示部と、この表示部に接続した制御部と、この制御部に接続した位置検出部、および地図記憶部とを備え、前記本体ケースに、カメラを設けるとともに、このカメラと画像合成部とを前記制御部に接続し、前記画像合成部により、前記カメラで撮影した画像中に、前記位置検出部で検出した位置情報と、カメラの撮影方向マークとを合成する構成としたものであるので、使い勝手を良くすることができる。
【００２６】
すなわち、本発明においては、前記カメラで撮影した画像中に、前記位置検出部で検出した位置情報と、カメラの撮影方向マークとを合成する構成としたものであるので、その画像が、どこの場所で、どちらを向いて撮影されたのかが一目瞭然となり、使い勝手の良いものとなるのである。
したがって、カーナビゲーション装置などとしても活用が期待される。
【符号の説明】
【００２７】
１  ナビゲーション装置
２  自動車
３  富士山
４  カメラ
５  本体ケース
６  表示部
７  進行方向表示
８  地図
９  カーソルスイッチ
１０  撮影情報
１１  表示制御部
１２  制御部
１３  ＧＰＳ受信部
１４  位置計算部
１５  位置検出部
１６  地図記憶部
１７  メモリ
１８  画像入力部
１９  画像合成部
２０  記録制御部
２１  記録媒体
２２  入力装置
２３  シャッターボタン
２４  決定スイッチ
【図１】
2011209168.tif 000003
【図２】
2011209168.tif 000004
【図３】
2011209168.tif 000005
【図４】
2011209168.tif 000006
【図５】
2011209168.tif 000007